(57)【要約】【課題】単純な機器構成で、画面を手動ではなく自動で切り替えることを可能とし、ユーザの利便性を向上する印刷システムを提供する。【解決手段】画面表示装置１０８を共有する外部装置１０２と優先表示設定されている外部装置１０１は互いに接続されている。外部装置１０２と外部装置１０１は、画面表示装置１０８に対するビデオ信号の送信を制御する制御手段と、外部装置と情報を送受信する送信手段及び受信手段とを備えている。外部装置１０１の操作画面が表示されているときに外部装置１０２がビデオ信号を送信した場合、外部装置１０１に優先表示情報を送信し、それを受信した外部装置１０１は、ビデオ信号を停止する。【選択図】図１
2016208140.tif 000002
【特許請求の範囲】
【請求項１】
互いに接続された画面表示装置と第１の外部装置と前記画面表示装置において優先表示設定されている第２の外部装置とを備える印刷システムであって、
前記第１の外部装置は、
前記画面表示装置に対する第１のビデオ信号の送信を制御する第１の制御手段と、
前記第２の外部装置に情報を送信する第１の送信手段とを備え、
前記第１の送信手段は、前記第１の制御手段が前記第１のビデオ信号を送信した場合、前記第２の外部装置に優先表示情報を送信し、
前記第２の外部装置は、
前記画面表示装置に対する第２のビデオ信号の送信を制御する第２の制御手段と、
前記第１の外部装置から情報を受信する第２の受信手段とを備え、
前記第２の制御手段は、前記第２の受信手段が優先表示情報を受信した場合、送信されている前記第２のビデオ信号を停止する
ことを特徴とする印刷システム。
【請求項２】
前記第１の送信手段は、送信している前記第１のビデオ信号を停止してよい場合、前記第２の外部装置に優先表示解除情報を送信し、
前記第２の制御手段は、前記第２の受信手段が優先表示解除情報を受信した場合、前記第２のビデオ信号を送信する
ことを特徴とする請求項１に記載の印刷システム。
【請求項３】
前記第１の外部装置は、前記第２の外部装置から情報を受信する第１の受信手段をさらに備え、
前記第２の外部装置は、前記第１の外部装置に情報を送信する第２の送信手段をさらに備え、
前記第２の制御手段が、前記第２のビデオ信号を送信した場合、前記第２の送信手段は、前記画面表示装置において前記優先表示設定されていることを示す優先表示設定情報を前記第１の外部装置に送信し、前記第１の受信手段は、前記優先表示設定情報を受信し、前記第１の制御手段は、前記第１のビデオ信号を停止する
ことを特徴とする請求項１乃至２のいずれか１項に記載の印刷システム。
【請求項４】
前記第１の外部装置でエラーが発生した場合、
前記第１の制御手段は、前記第１のビデオ信号を送信し、
前記第１の送信手段は、前記優先表示情報としてエラー発生情報を前記第２の外部装置に送信し、
前記第２の受信手段は前記エラー発生情報を受信し、
前記第２の制御手段は、送信されている前記第２のビデオ信号を停止させ、
前記第１の外部装置で前記エラーが解除されたことが確認された場合、前記第１の送信手段は、前記優先表示解除情報としてエラー解除情報を前記第２の外部装置に送信し、前記第２の受信手段は前記エラー解除情報を受信し、前記第２の制御手段は、前記第２のビデオ信号を送信する
ことを特徴とする請求項２乃至３のいずれか１項に記載の印刷システム。
【請求項５】
前記第２の外部装置における操作に基づき前記第１の外部装置で操作を行う場合、
前記第２の送信手段は、前記操作が行われたことを示す操作情報を前記第２の外部装置に送信し、
前記第１の受信手段は、前記操作情報を受信し、
前記第１の制御手段は、前記第１のビデオ信号を送信し、
前記第１の送信手段は、前記優先表示情報として画面遷移完了情報を前記第２の外部装置に送信し、
前記第２の受信手段は前記画面遷移完了情報を受信し、
前記第２の制御手段は、前記第２のビデオ信号を停止させ、
前記第１の外部装置で操作が終了したことが確認された場合、前記第１の送信手段は、前記優先表示解除情報として操作終了情報を前記第２の外部装置に送信し、前記第２の受信手段は、前記操作終了情報を受信し、前記第２の制御手段は、前記第２のビデオ信号を送信する
ことを特徴とする請求項２乃至３のいずれか１項に記載の印刷システム。
【請求項６】
前記第１の外部装置及び前記第２の外部装置には、操作している外部装置でなされた操作と、画面表示装置で表示すべき操作していない外部装置の操作画面が、関連付けて登録されている、
ことを特徴とする請求項５に記載の印刷システム。
【請求項７】
前記第２の外部装置は、
前記優先表示情報もしくは前記優先表示解除情報を受信した場合、操作画面切替選択画面を表示する画面切替選択手段をさらに備え、
前記第２の制御手段は、操作画面切替選択画面において、操作画面切替が選択された場合にのみ前記第２のビデオ信号の停止もしくは送信を行う
ことを特徴とする請求項２ないし６のいずれか１項に記載の印刷システム。
【請求項８】
前記第１の外部装置が画像処理装置であり、前記第２の外部装置が印刷装置であること、または、前記第１の外部装置が印刷装置であり、前記第２の外部装置が画像処理装置であることを特徴とする請求項１乃至７のいずれか１項に記載の印刷システム。
【請求項９】
画面表示装置及び印刷装置と接続された画像処理装置であって、
前記画面表示装置に対するビデオ信号の送信を制御する制御手段と、
印刷装置に情報を送信する送信手段と、
印刷装置から情報を受信する受信手段とを備え、
前記制御手段は、前記受信手段が優先表示情報を受信した場合、送信されている前記ビデオ信号を停止し、
前記送信手段は、前記制御手段がビデオ信号を送信した場合、前記印刷装置に優先表示情報を送信する
ことを特徴とする画像処理装置。
【請求項１０】
画面表示装置及び画像処理装置と接続された印刷装置であって、
前記画面表示装置に対するビデオ信号の送信を制御する制御手段と、
画像処理装置に情報を送信する送信手段と、
画像処理装置から情報を受信する受信手段とを備え、
前記制御手段は、前記受信手段が優先表示情報を受信した場合、送信されている前記ビデオ信号を停止し、
前記送信手段は、前記制御手段がビデオ信号を送信した場合、前記画像処理装置に優先表示情報を送信する
ことを特徴とする印刷装置。
【請求項１１】
互いに接続された画面表示装置と第１の外部装置と前記画面表示装置において優先表示設定されている第２の外部装置を備える印刷システムにおける制御方法であって、
前記第１の外部装置は、
前記画面表示装置に対する第１のビデオ信号の送信を制御する第１のビデオ信号制御工程と、
前記第２の外部装置に情報を送信する第１の送信工程とを備え、
前記第１の送信工程では、前記第１のビデオ信号制御工程で前記第１のビデオ信号を送信した場合、前記第２の外部装置に優先表示情報を送信し、
前記第２の外部装置は、
前記画面表示装置に対する第２のビデオ信号の送信を制御する第２のビデオ信号制御工程と、
前記第１の外部装置から情報を受信する第２の受信工程とを備え、
前記第２のビデオ信号制御工程では、前記第２の受信工程で優先表示情報を受信した場合、送信されている前記第２のビデオ信号を停止する
ことを特徴とする制御方法。
【請求項１２】
請求項１１に記載の操作画面切替方法をコンピュータに実行させることを特徴とするプログラム。
【発明の詳細な説明】
【技術分野】
【０００１】
本発明は、印刷システム、画面表示装置、画像処理装置、印刷装置、その制御方法、及びプログラムに関する。
【背景技術】
【０００２】
印刷装置に対して画像処理装置などの外部装置が接続された構成において、ユーザの操作性向上のため両装置の操作画面を１つの画面表示装置に表示して操作画面を切り替えることで操作する技術が存在する。従来、画面表示装置が画面を切り替える方法としては、２つの方法が存在する。１つ目は、画面表示装置が、複数の装置から操作画面を表示させるための信号を受信しているときに、どの装置の操作画面を表示させるか、ハードスイッチを押すことによって手動で切り替える方法である。２つ目は、画面表示装置が複数の装置の操作画面を表示できるようにするために、複数のコンピュータを切り替えて使用することができるコンソール切り替え機を接続する方法である。特許文献１は、コンソール切り替え機を接続する方法により、複数のうち１台のコンピュータにエラーが発生すると、そのコンピュータが表示される技術を開示している。
【先行技術文献】
【特許文献】
【０００３】
【特許文献１】特開２００６−１１３７７３号公報
【発明の概要】
【発明が解決しようとする課題】
【０００４】
印刷装置に対して画像処理装置などの外部装置が接続された構成で、両装置の操作画面を１つの画面表示装置に表示して操作する環境において、現在表示されている画面が使用したい装置のものではない場合がある。しかしながら、特許文献１が開示する技術では、画面表示切り替え用の装置を画面表示装置に追加することで機器構成が複雑になってしまう恐れがある。または、使用したい装置を操作するためには、手動で画面を切り替える必要がある。例えば、画像処理装置を操作中に印刷装置でエラーが発生した場合、現在画面表示装置で表示されている画面は画像処理装置の操作画面であり、ユーザはエラーの情報について詳細な内容を把握することはできない。ユーザがエラーの詳細な情報を知るためには、画面表示装置が表示している操作画面を印刷装置の操作画面に切り替える必要があり、そのためには、手動で画面の切り替えを行わなければならない。
【０００５】
本発明は、単純な機器構成で、表示する装置の画面を他の装置の画面に自動で切り替えることを可能とする印刷システムを提供することを目的とする。
【課題を解決するための手段】
【０００６】
本発明の一実施形態の印刷システムは、互いに接続された画面表示装置と第１の外部装置と前記画面表示装置において優先表示設定されている第２の外部装置とを備え、前記第１の外部装置は、前記画面表示装置に対する第１のビデオ信号の送信を制御する第１の制御手段と、前記第２の外部装置に情報を送信する第１の送信手段と、前記第２の外部装置から情報を受信する第１の受信手段とを備え、前記第１の送信手段は、前記第１の制御手段が前記第１のビデオ信号を送信した場合、前記第２の外部装置に優先表示情報を送信し、前記第２の外部装置は、前記画面表示装置に対する第２のビデオ信号の送信を制御する第２の制御手段と、前記第１の外部装置に情報を送信する第２の送信手段と、前記第１の外部装置から情報を受信する第２の受信手段とを備え、前記第２の制御手段は、前記第２の受信手段が優先表示情報を受信した場合、送信されている前記第２のビデオ信号を停止する。
【発明の効果】
【０００７】
本発明は、単純な機器構成で、表示する装置の画面を他の装置の画面に自動で切り替えることを可能とする印刷システムを提供することができる。
【図面の簡単な説明】
【０００８】
【図１】印刷システムの構成の一例を示す図である。
【図２】印刷システムのハードウェアの構成例を示す図である。
【図３】ＰＤＬコントローラの操作画面を示す図である。
【図４】ＭＦＰの操作画面を示す図である。
【図５】ＰＤＬコントローラの操作画面を示す図である。
【図６】ＭＦＰの操作画面を示す図である。
【図７】ＰＤＬコントローラとＭＦＰの接続体系を示すブロック図である。
【図８】操作パネルの画面切り替えの処理の流れを示すシーケンス図である。
【図９】ＰＤＬコントローラの処理の流れを示すフローチャートである。
【図１０】ＭＦＰの処理の流れを示すフローチャートである。
【図１１】ＰＤＬコントローラの操作画面を示す図である。
【図１２】ＭＦＰの操作画面を示す図である。
【図１３】ＰＤＬコントローラとＭＦＰを関連付けした情報テーブルを示す図である。
【図１４】画面切り替えの処理の流れを示すシーケンス図である。
【図１５】ＰＤＬコントローラの処理の流れを示すフローチャートである。
【図１６】ＭＦＰの処理の流れを示すフローチャートである。
【発明を実施するための形態】
【０００９】
以下、本発明を実施するための形態について図面などを参照して説明する。
（実施例１）
図１は、実施例１における印刷システムの構成を示す図である。
この印刷システムは、ＰＤＬ（Ｐａｇｅ  Ｄｅｓｃｒｉｐｔｉｏｎ  Ｌａｎｇｕａｇｅ）コントローラ１０１と、ＭＦＰ（Ｍｕｌｔｉ  Ｆｕｎｃｔｉｏｎ  Ｐｅｒｉｐｈｅｒａｌ）１０２と、操作パネル１０８を備えている。
ＰＤＬコントローラ１０１は、ＰＤＬで記述された描画データを印刷データに変換することが可能な装置である。ＰＤＬコントローラ１０１は、本発明における画像処理装置のことを指している。
【００１０】
ＭＦＰ１０２は、プリント、コピー、スキャンなどの機能を使用することができる。ＭＦＰ１０２は、本発明における印刷装置のことを指している。１０３は、ＭＦＰ１０２の一部のリーダースキャナであり、原稿の自動送り装置（ＡＤＦ）が装着されている。１０４はＭＦＰコントローラであり、ＭＦＰ１０２の制御を担うコントローラである。１０５はプリンタエンジンであり、ＭＦＰ１０２における定着器、転写ドラムといった画像形成を行うハードウェア群を示している。
ＰＤＬコントローラ１０１とＭＦＰ１０２は、ＰＤＬ印刷の制御信号が流れるイーサネット（登録商標）ケーブル１０６と画像転送ケーブル１０７の２つによって接続されている。
【００１１】
操作パネル１０８は、ＰＤＬコントローラ１０１とＭＦＰ１０２の共通の操作パネルであり、本発明の実施例における画面表示装置のことを指している。操作パネル１０８は、モニタケーブル１０９によってＰＤＬコントローラ１０１と接続され、モニタケーブル１１０によってＭＦＰ１０２と接続されている。１１１は、画面表示切替スイッチとなっている。操作パネル１０８は、画面表示切替スイッチ１１１を押下することによって、ＰＤＬコントローラ１０１の画面を表示するか、ＭＦＰ１０２の画面を表示するかを切り替えることができる。
【００１２】
図２は、ＰＤＬコントローラ１０１とＭＦＰ１０２と操作パネル１０８のハードウェアの構成を示す図である。
ＰＤＬコントローラ１０１は、ＣＰＵ２０１、メモリ２０２、ＨＤＤ２０３、ディスプレイインターフェース２０４、ＰＤＬ制御インターフェース２０５、画像インターフェース２０６、システムバス２０７で構成されている。
【００１３】
ＣＰＵ２０１は、システムバス２０７を介してＰＤＬコントローラ内の制御、演算、記憶領域に格納されているプログラムを実行する。メモリ２０２は、ＰＤＬデータの画像展開時の一時記憶領域、ワークメモリとして使用される。ＨＤＤ２０３は記憶装置であり、ＣＰＵ２０１によって実行されるプログラムを格納している。また、処理されるデータの一時的な記憶領域や保存領域としても使用される。
【００１４】
ディスプレイインターフェース２０４は、モニタケーブル１０９を通して、操作パネル１０８に対してＰＤＬコントローラ１０１の画面を表示するためのビデオ信号の送受信を行う。ＰＤＬ制御インターフェース２０５は、イーサネットケーブル１０６を介してＭＦＰ１０２との間で制御コマンドの送受信を行う。画像インターフェース２０６は、画像転送ケーブル１０７を介してＭＦＰ１０２との間で画像データの送受信を行う。
【００１５】
次に、ＭＦＰ１０２内にあるＭＦＰコントローラ１０４は、ＣＰＵ２０８、メモリ２０９、ＨＤＤ２１０を備えている。さらにＭＦＰ１０２は、ディスプレイインターフェース２１１、エンジンインターフェース２１２、リーダーインターフェース２１３、ＰＤＬ制御インターフェース２１４、画像インターフェース２１５、システムバス２１６を備えている。ＣＰＵ２０８はシステムバス２１６を介してＭＦＰ１０２の各種制御、演算、記憶領域に格納されているプログラムを実行する。メモリ２０９は、印刷装置の動作中における一時記憶領域、ワークメモリとして使用される。ＨＤＤ２１０は、ＣＰＵ２０８によって実行されるプログラムを格納しており、処理されるデータの一時的な記憶領域や保存領域としても使用される。
【００１６】
ディスプレイインターフェース２１１は、モニタケーブル１１０を通して、操作パネル１０８に対してＭＦＰ１０２の画面を表示するためのビデオ信号の送受信を行う。エンジンインターフェース２１２は、プリンタエンジン１０５との通信を制御している。リーダーインターフェース２１３はスキャナ１０３と接続されている。ＰＤＬ制御インターフェース２１４は、イーサネットケーブル１０６を介してＰＤＬコントローラ１０１との間で制御コマンドの送受信を行う。画像インターフェース２１５は、画像転送ケーブル１０７を介してＰＤＬコントローラ１０１との間で画像データの送受信を行う。
【００１７】
次に、操作パネル１０８は、ディスプレイインターフェース２１７と液晶パネル２１８で構成されている。ディスプレイインターフェース２１７は、ＰＤＬコントローラ１０１とＭＦＰ１０２から、モニタケーブル１０９と１１０を通して、それぞれの装置の画面を表示するためのビデオ信号を受信する。液晶パネル２１８は、ディスプレイインターフェース２１７で受信したビデオ信号を基にして画面を生成し、ユーザに対してその内容の表示を行う。
【００１８】
ＰＤＬコントローラ１０１とＭＦＰ１０２が接続された環境において、エラーが発生した場合、どちらの装置でエラーが発生したかで、それぞれの操作画面に表示させる情報量が異なってくる。
図３、４、５、６を参照して、ＰＤＬコントローラ１０１でエラーが発生した場合とＭＦＰ１０２でエラーが発生した場合における操作パネル１０８に表示される各装置の画面の違いについて説明する。
【００１９】
図３は、ＭＦＰ１０２でのエラー時におけるＰＤＬコントローラ１０１の操作画面を示す図である。
図４は、ＭＦＰ１０２でのエラー時におけるＭＦＰ１０２の操作画面を示す図である。
図５は、ＰＤＬコントローラ１０１でのエラー時におけるＰＤＬコントローラ１０１の操作画面を示す図である。
図６は、ＰＤＬコントローラ１０１でのエラー時におけるＭＦＰ１０２の操作画面を示す図である。
【００２０】
図３における各構成、機能は以下の通りとなっている。３０１は、ＭＦＰ１０２においてエラーが発生した場合のＰＤＬコントローラ１０１の操作画面である。３０２は、ＭＦＰ１０２でエラーが発生すると、その情報を基にしてＭＦＰ１０２でどのようなエラーが今起きているのかを表示している場所である。３０３は、ＰＤＬコントローラ１０１のＨＤＤ２０３に保存されている印刷データを一覧表示するためのメニューである。３０３を選択することで、保存されている印刷データの一覧が表示される。３０４は、一覧表示された印刷データの中の１つの印刷データを表している。
【００２１】
図４における各構成、機能は以下の通りとなっている。４０１は、ＭＦＰ１０２でエラーが発生した場合のＭＦＰ１０２の操作画面である。４０２は、ＭＦＰ１０２でどのような内容のエラーが発生したかの詳細な情報を示している。この例では、ＭＦＰ１０２で紙詰まりが発生したことを示している。４０３は、ＭＦＰ１０２で発生したエラーを解除するための方法、手順を示している。この例では、ＭＦＰ１０２の前カバーを開くことによって、紙詰まりの場所を確認して取り除くようにユーザに対して促している。４０４から４０６は、ユーザがどこで紙詰まりが起きているかを確認しやすくするために、ＭＦＰ１０２の各部分につけている記号である。
【００２２】
図５における各構成、機能は以下の通りとなっている。５０１は、ＰＤＬコントローラ１０１でエラーが発生した場合のＰＤＬコントローラ１０１の操作画面である。５０２は、ＰＤＬコントローラ１０１内でのエラーの内容を表示する。５０３は、ＰＤＬコントローラ１０１のＨＤＤ２０３に保存されている印刷データを一覧表示するためのメニューである。５０３を選択することで、保存されている印刷データの一覧が表示される。５０４は、一覧表示された印刷データの中の１つの印刷データを表している。
【００２３】
図６における各構成、機能は以下の通りとなっている。６０１は、ＰＤＬコントローラ１０１でエラーが発生した場合のＭＦＰ１０２の操作画面である。６０２は、ＰＤＬコントローラ１０１でエラーが発生した場合、ＰＤＬコントローラ１０１でエラーが発生したことを確かめるように促すメッセージを表示する場所である。６０３は、ＭＦＰ１０２のメインメニューを示す画面である。６０４は、ＭＦＰ１０２のコピー機能を使うための表示であり、これを選択することでＭＦＰ１０２のコピーが使用可能になる。６０５は、ＭＦＰ１０２のスキャン機能を使うための表示であり、これを選択することでＭＦＰ１０２のスキャンが使用可能になる。６０６は、ＭＦＰ１０２のファックス機能を使うための表示であり、これを選択することでＭＦＰ１０２のファックスが使用可能になる。
【００２４】
ＭＦＰ１０２でエラーが発生すると、イーサネットケーブル１０６を介してＰＤＬコントローラ１０１にもどのようなエラーが発生したかの情報を送信している。しかしながらこの場合、ＰＤＬコントローラ１０１で表示されるエラーの内容は、図３に示すようにＭＦＰ１０２でどのようなエラーが起きているかを表示するだけとなっており、ＭＦＰ１０２で発生したエラーの詳細な情報を把握することができない。一方、ＭＦＰ１０２の操作画面では、ＭＦＰ１０２でエラーが発生した場合には、図４のようにＭＦＰ１０２で発生したエラーの内容とのその対処法を図で表示するため、ユーザがエラーの詳細な情報とその対処法の把握を比較的簡単に行うことができる。
【００２５】
これとは逆に、ＰＤＬコントローラ１０１でエラーが発生した場合は、ＭＦＰ１０２では図６のようにＰＤＬコントローラ１０１を確認するように促すメッセージしか表示されない。しかし、ＰＤＬコントローラ１０１では、図５のようにＰＤＬコントローラ１０１で発生したエラーの内容を表示するようになっている。これらのことから、ＰＤＬコントローラ１０１、ＭＦＰ１０２でエラーが発生した場合、エラーが発生した装置の画面に切り替えた方がユーザにとってエラーについての詳細な情報を把握しやすい。
【００２６】
図７、８を参照して、ＭＦＰ１０２でのエラー発生時における操作パネル１０８に表示されている画面の切り替え方法について説明する。
図７は、ＰＤＬコントローラ１０１とＭＦＰ１０２の各制御部の接続体系を示すソフトウェアブロック図である。
図７における、ＰＤＬコントローラ１０１の起動制御部７０１、本体情報制御部７０２、画面表示制御部７０３、画像処理部７０４は、それぞれメモリ２０２に存在し、ＣＰＵ２０１上でプログラムがそれらを呼び出して実行する。
【００２７】
ＭＦＰ１０２の起動制御部７０５、本体情報制御部７０６、画面表示制御部７０７、印刷処理部７０８は、それぞれＭＦＰ１０２のメモリ２０９に存在し、ＭＦＰ１０２のＣＰＵ２０８上でプログラムがそれらを呼び出して実行する。
操作パネル１０８における画面表示制御部７０９は、ディスプレイインターフェース２１７に送られてくるビデオ信号によって画面表示を実行する。
【００２８】
図８は、ＭＦＰ１０２でのエラー発生時における操作パネル１０８の画面切り替えの処理の流れを示すシーケンス図である。
本シーケンス図におけるＰＤＬコントローラ１０１の動作は、ＣＰＵ２０１がＨＤＤ２０３に格納されているプログラムを実行し、起動制御部７０１、本体情報制御部７０２、画面表示制御部７０３、画像処理部７０４を制御することによって実現される。また、ＭＦＰ１０２の動作は、ＣＰＵ２０８がＨＤＤ２１０に格納されているプログラムを実行し、起動制御部７０５、本体情報制御部７０６、画面表示制御部７０７、印刷処理部７０８を制御することによって実現される。
【００２９】
まず、ＰＤＬコントローラ１０１は、電源がオンになると起動制御部７０１によって起動される。ＭＦＰ１０２も同様に、電源がオンになると起動制御部７０５によって起動される。ＰＤＬコントローラ１０１及びＭＦＰ１０２は、起動するとビデオ信号を操作パネル１０８に送信する。本実施例では、ＰＤＬコントローラ１０１を主として操作するために、ＰＤＬコントローラ１０１の操作画面を優先的に表示するようにしているので、起動直後に操作パネル１０８で表示されている操作画面は、ＰＤＬコントローラ１０１の操作画面となる。ＰＤＬコントローラ１０１の画面表示制御部７０３は、操作パネル１０８においてＰＤＬコントローラ１０１の操作画面が優先表示されているという情報（優先表示設定情報）を、ＭＦＰ１０２の画面表示制御部７０７に伝える。優先表示設定情報をＭＦＰ１０２の画面表示制御部７０７が受け取ると、ＭＦＰ１０２の画面表示制御部７０７がＭＦＰ１０２のディスプレイインターフェース２１１を介して操作パネル１０８に送るビデオ信号を一時停止する（不図示）。
【００３０】
Ｓ８０１において、ＰＤＬコントローラ１０１の画像処理部７０４が、印刷データの処理を行う。次にＳ８０２において、ＰＤＬコントローラ１０１の画像処理部７０４が、Ｓ８０１で処理をした印刷データを、ＭＦＰ１０２の印刷処理部７０８に送信する。
【００３１】
次にＳ８０３において、ＭＦＰ１０２の印刷処理部７０８が、Ｓ８０２で受信した印刷データに従って、印刷処理を行う。ＭＦＰ１０２の印刷処理部７０８が印刷処理を行っているときに、ＭＦＰ１０２の本体情報制御部７０６は、ＭＦＰ１０２でエラーが発生したかどうかを確認する。その結果、Ｓ８０４においてＭＦＰ１０２の本体情報制御部７０６がＭＦＰ１０２でエラーが発生したことを確認した場合、Ｓ８０５に移行する。
【００３２】
Ｓ８０５において画面表示制御部７０７が、ＭＦＰ１０２の画面を表示させるために、ＭＦＰ１０２のディスプレイインターフェース２１１を介して、操作パネル１０８にＭＦＰ１０２のビデオ信号を送信する（ビデオ信号制御）。そしてＳ８０６で、ＭＦＰ１０２の本体情報制御部７０６が、ＭＦＰ１０２でエラーが発生し、ＭＦＰ１０２のビデオ信号が復帰したことを、エラー発生情報（優先表示情報）として、ＰＤＬコントローラ１０１の画面表示制御部７０３に送信する。
【００３３】
ＰＤＬコントローラ１０１がエラー発生情報を受信すると、Ｓ８０７においてＰＤＬコントローラ１０１の画面表示制御部７０３が、操作パネル１０８に送信していたＰＤＬコントローラ１０１のビデオ信号を一時的に停止する（ビデオ信号制御）。これによって、操作パネル１０８の画面表示制御部７０９が受信しているビデオ信号がＭＦＰ１０２のビデオ信号のみとなるので、操作パネル１０８の画面に表示されている画面は、ＭＦＰ１０２の操作画面となる。その後Ｓ８０８で、画面表示制御部７０３が、ＰＤＬコントローラ１０１のビデオ信号の送信を一時停止したことを、ＰＤＬ制御インターフェース２０５及びＰＤＬ制御インターフェース２１４を介して、ＭＦＰ１０２の画面表示制御部７０７に伝える。
【００３４】
操作パネル１０８で表示されている画面がＭＦＰ１０２の操作画面になったとき、Ｓ８０９においてＭＦＰ１０２の本体情報制御部７０６が、ＭＦＰ１０２に起きているエラーの原因が取り除かれて、エラーが解除されたことを確認する。その後Ｓ８１０で、本体情報制御部７０６が、ＭＦＰ１０２のエラーが解除されたという情報をエラー解除情報（優先表示解除情報）として、ＰＤＬ制御インターフェース２１４及びＰＤＬ制御インターフェース２０５を介してＰＤＬコントローラ１０１に送信する。
【００３５】
エラー解除情報を受信すると、Ｓ８１１においてＰＤＬコントローラ１０１の画面表示制御部７０３は、操作パネル１０８の画面表示制御部７０９へ、ＰＤＬコントローラ１０１のビデオ信号の送信を再開する。これにより、操作パネル１０８の画面表示制御部７０９は、ＰＤＬコントローラ１０１のビデオ信号とＭＦＰ１０２のビデオ信号を受信していることとなる。本実施例では、ＰＤＬコントローラ１０１の操作画面を優先的に表示するようにしているので、操作パネル１０８で表示されている操作画面は、ＰＤＬコントローラ１０１の操作画面となる。
【００３６】
その後Ｓ８１２で、画面表示制御部７０３がＰＤＬコントローラ１０１のビデオ信号の送信を再開したことを優先表示設定情報と共に、ＭＦＰ１０２の画面表示制御部７０７に伝える。
そしてＳ８１３で、ＭＦＰ１０２の画面表示制御部７０７が、ＭＦＰ１０２のディスプレイインターフェース２１１を介して操作パネル１０８のディスプレイインターフェース２１７に送信していたＭＦＰ１０２のビデオ信号を、停止させる。
【００３７】
次に図９、図１０を参照して、図８におけるＰＤＬコントローラ１０１とＭＦＰ１０２の個別の処理について説明する。
図９は、ＭＦＰ１０２でのエラー発生時のＰＤＬコントローラ１０１の処理の流れを示すフローチャートである。
本フローチャートは、ＨＤＤ２０３の格納されているプログラムに従って起動制御部７０１、本体情報制御部７０２、画面表示制御部７０３、画像処理部７０４をＣＰＵ２０１が実行することによって実現される。
【００３８】
図９において、まずＳ９０１でＰＤＬコントローラ１０１の画像処理部７０４が、印刷データの画像処理を行う。その後、Ｓ９０２において、ＰＤＬコントローラ１０１の画像処理部が、画像処理後の印刷情報をＰＤＬコントローラ１０１のＰＤＬ制御インターフェース２０５、画像データをＰＤＬコントローラ１０１の画像インターフェースを介してＭＦＰ１０２に送信する。
【００３９】
Ｓ９０３において、ＰＤＬコントローラ１０１の本体情報制御部７０２は、ＰＤＬコントローラ１０１のＰＤＬ制御インターフェース２０５を介して、ＭＦＰ１０２からＭＦＰ１０２の本体情報を定期的に受信していく。
本体情報制御部７０２が、ＭＦＰ１０２からエラー発生情報を受信しなければ、Ｓ９０７に移行し、ＰＤＬ制御インターフェース２０５を介して、ＭＦＰ１０２に対し、印刷を終了したかどうかを確認する。本体情報制御部７０２が、ＭＦＰ１０２が印刷を終了したことを確認できた場合、そのまま特に処理をすることなく終了する。本体情報制御部７０２が、印刷が終了したことが確認できなかった場合、Ｓ９０３に戻る。
【００４０】
一方で、ＰＤＬコントローラ１０１の本体情報制御部７０２が、ＭＦＰ１０２からＰＤＬコントローラ１０１のＰＤＬ制御インターフェース２０５を通してエラー発生情報を受信した場合、Ｓ９０４に移行する。
Ｓ９０４では、画面表示制御部７０３が、ディスプレイインターフェース２０４を介して操作パネル１０８の画面表示制御部７０９に送信していたＰＤＬコントローラ１０１のビデオ信号を、一時的に停止する。その後Ｓ９０５で、ＰＤＬコントローラ１０１の本体情報制御部７０２が、ＰＤＬコントローラ１０１のＰＤＬ制御インターフェース２０５を介して、ＭＦＰ１０２からＭＦＰ１０２のエラーが解除された情報を受信すると、Ｓ９０６に移行する。
【００４１】
Ｓ９０６において、ＰＤＬコントローラ１０１の画面表示制御部７０３は、ＰＤＬコントローラ１０１のディスプレイインターフェース２０４を介して操作パネル１０８の画面表示制御部７０９に、ＰＤＬコントローラ１０１のビデオ信号の送信を再開する。一方、Ｓ９０５で、ＰＤＬコントローラ１０１の本体情報制御部７０２が、ＭＦＰ１０２のエラーが解除された情報を受信しない間は、ＰＤＬコントローラ１０１のビデオ信号は停止したままにする。
【００４２】
Ｓ９０６においてＰＤＬコントローラ１０１の画面表示制御部７０３が、ＰＤＬコントローラ１０１のビデオ信号の送信を再開した後、Ｓ９０７でＰＤＬコントローラ１０１の本体情報制御部７０２が、ＭＦＰ１０２から印刷が終了したことを確認する。その際、ＰＤＬコントローラ１０１の本体情報制御部７０２が、ＭＦＰ１０２が印刷を終了したことを確認できた場合、そのまま特に処理をすることなく終了する。一方、ＰＤＬコントローラ１０１の本体情報制御部７０２が、印刷が終了したことが確認できなかった場合、Ｓ９０３に戻って、ＰＤＬコントローラ１０１の本体情報制御部７０２が、ＭＦＰ１０２からエラー発生情報を受信したかどうかを確認する。
【００４３】
図１０は、ＭＦＰ１０２でのエラー発生時のＭＦＰ１０２の処理の流れを示すフローチャートである。
本フローチャートは、ＭＦＰ１０２のＨＤＤ２１０の格納されているプログラムに従ってＭＦＰ１０２の起動制御部７０５、本体情報制御部７０６、画面表示制御部７０７、印刷処理部７０８をＣＰＵ２０８が実行することによって実現される。
【００４４】
図１０において、まずＳ１００１で、ＭＦＰ１０２の印刷処理部７０８は、印刷データの印刷情報を、ＰＤＬ制御インターフェース２１４を介して、画像データを画像インターフェース２１５を介してＰＤＬコントローラ１０１から受信する。その後Ｓ１００２において、ＭＦＰ１０２の印刷処理部７０８が、受信したデータに従って印刷を実行する。
ＭＦＰ１０２の印刷処理部７０８が印刷を実行中に、Ｓ１００３において、ＭＦＰ１０２の本体情報制御部７０６が、ＭＦＰ１０２内でエラーが発生したかどうかを確認する。
【００４５】
ＭＦＰ１０２の本体情報制御部７０６が、ＭＦＰ１０２でエラーが発生したことを確認した場合はＳ１００４に移行する。Ｓ１００４では、ＭＦＰ１０２の画面表示制御部７０７がＭＦＰ１０２の画面を表示させるためのビデオ信号を、ＭＦＰ１０２のディスプレイインターフェース２１１を介して、操作パネル１０８のディスプレイインターフェース２１７に送信する。そしてＳ１００５において、ＭＦＰ１０２の本体情報制御部７０６が、ＭＦＰ１０２でエラーが発生したことを、ＭＦＰ１０２のＰＤＬ制御インターフェース２１４を介して、ＰＤＬコントローラ１０１にエラー発生情報として送信する。
【００４６】
一方で、Ｓ１００３において、ＭＦＰ１０２の本体情報制御部７０６が、ＭＦＰ１０２でエラーが発生したことを確認できなかった場合は、Ｓ１００９に移行する。
Ｓ１００９では、ＭＦＰ１０２の本体情報制御部７０６が、ＭＦＰ１０２の印刷処理部７０８が印刷を終了したことを確認できた場合、そのまま特に処理をすることなく終了する。一方で、ＭＦＰ１０２の本体情報制御部７０６が、ＭＦＰ１０２の印刷処理部７０８が印刷を終了したことが確認できなかった場合、Ｓ１００３に戻って、ＭＦＰ１０２の本体情報制御部７０６が、ＭＦＰ１０２でエラーが発生したかどうかを確認する。
【００４７】
次にＳ１００６において、ＭＦＰ１０２で発生したエラーが解除されたことを確認できた場合、ＭＦＰ１０２の本体情報制御部７０６が、ＭＦＰ１０２で起きていたエラーが解除されたことを、ＰＤＬコントローラ１０１に送信する。
その後Ｓ１００７で、ＭＦＰ１０２の画面表示制御部７０７が、ＰＤＬコントローラ１０１からＭＦＰ１０２のＰＤＬ制御インターフェース２１４を介して、ＰＤＬコントローラ１０１のビデオ信号の送信が再開されたという情報を受信する。その情報をＭＦＰ１０２の画面表示制御部７０７が受信すると、ＭＦＰ１０２の画面表示制御部７０７が、操作パネル１０８のディスプレイインターフェース２１７に送信していたＭＦＰ１０２のビデオ信号を、停止させる。その後Ｓ１００８で、ＭＦＰ１０２の印刷処理部７０８は、印刷を再開する。
一方、Ｓ１００６で、ＭＦＰ１０２の本体情報制御部７０６が、ＭＦＰ１０２のエラーが解除されたことを確認できなかった場合、エラーが解除されたことを確認できるまで、ＭＦＰ１０２の本体情報制御部７０６はエラー発生情報を出し続ける。
【００４８】
Ｓ１００８でＭＦＰ１０２の印刷処理部７０８が印刷を再開した後、Ｓ１００９に移行する。Ｓ１００９において、ＭＦＰ１０２の本体情報制御部７０６が、ＭＦＰ１０２の印刷処理部７０８が印刷を終了したことを確認できた場合、Ｓ１０１０に移行する。Ｓ１０１０において、ＭＦＰ１０２の本体情報制御部７０６が、印刷が終了したことをＭＦＰ１０２のＰＤＬ制御インターフェース２１４を介して、ＰＤＬコントローラ１０１に印刷終了情報として送信する。
ＭＦＰ１０２の本体情報制御部７０６が、ＭＦＰ１０２の印刷処理部７０８が印刷を終了したことが確認できなかった場合、Ｓ１００３に戻ってＭＦＰ１０２の本体情報制御部７０６が、ＭＦＰ１０２でエラーが発生したかどうかを確認する。
【００４９】
実施例１ではエラーが発生した場合自動で表示している操作画面が切り替わるように構成したが、表示されている操作画面での操作を優先したい場合、強制的に画面の切り替えを行わずにユーザによる確認を経て操作画面を切り替えるように構成してもよい。この場合、操作画面切替選択画面を表示し、画面を切り替えるか否かユーザに選択させ、画面切替が選択された場合は画面を切り替えるためにビデオ信号の送信もしくは一時停止を行い、画面切替が選択されなかった場合は、ビデオ信号の送信状況を変化させない。
また、ＭＦＰ１０２が優先表示設定されている場合には、実施例１で説明した方法においてそれぞれの装置の立場を逆にして画面の切り替えを行うことで、ＰＤＬコントローラ１０１のエラーの詳細な情報を取得することができる。
【００５０】
以上のように、実施例１によれば、エラーが発生した場合、自動でエラーが発生した装置の画面に切り替えることができる。これにより、ユーザはエラーについての詳細な情報を把握しやすくなり、ユーザの利便性を向上することができる。
【００５１】
（実施例２）
実施例１では、ＭＦＰ１０２でエラーが発生した場合における操作パネル１０８の画面切り替え手段について説明した。しかしながら、ＰＤＬコントローラ１０１とＭＦＰ１０２が接続された環境においては、２つの装置を交互に切り替えながら操作する必要がある処理も存在する。例えば、ＰＤＬコントローラ１０１で印刷データの設定を行う際に、その印刷データで使用する用紙の種類の設定を行った場合、その用紙の種類と同じ設定をＭＦＰ１０２でも行う必要がある。そのため、ＰＤＬコントローラ１０１で用紙の種類の設定を行ったあとに、ＭＦＰ１０２の画面に切り替えてＭＦＰ１０２でも用紙の種類の設定を行う必要がある。
【００５２】
図７、１１、１２、１３、１４を参照して、ＰＤＬコントローラ１０１とＭＦＰ１０２の画面を自動で遷移させながら画面の切り替えを行う方法について説明する。
図１１は、用紙設定時におけるＰＤＬコントローラ１０１の操作画面を示す図である。
図１１における各構成、機能は以下の通りである。１１０１は、印刷データの用紙設定時におけるＰＤＬコントローラ１０１の操作画面である。１１０２は、ＭＦＰ１０２のどの用紙トレイを使うのかを選択する項目となっている。使用する用紙トレイを選択する際には、選択できる用紙トレイの種類がプルダウンで表示され、その中から実際に使用する用紙トレイを選択する。
【００５３】
１１０３は、印刷データでどのような用紙の種類を使用して印刷するのかを選択する項目となっている。使用する用紙の種類を選択する際には、使用するＭＦＰ１０２で使用できる用紙の種類がプルダウンで表示され、その中から実際に使用する用紙の種類を選択する。１１０４は、印刷データで使用する用紙のサイズを選択する項目である。使用する用紙のサイズを選択する際には、様々な紙のサイズがプルダウンで表示され、その中から実際に使用するサイズを選択する。１１０５は、１１０２から１１０４までの各設定が完了した際、その設定を印刷しようとしている印刷データに反映させることを決定するための項目である。１１０６は、１１０２から１１０４までの各設定が完了した際、その設定を印刷しようとしている印刷データに反映させることをやめるための項目である。
【００５４】
図１２は、用紙設定時におけるＭＦＰ１０２の操作画面を示す図である。
図１２における各構成、機能は以下の通りである。１２０１は、用紙設定時におけるＭＦＰ１０２の操作画面である。１２０２は、ＭＦＰ１０２が現在表示している画面が、用紙設定を行う画面であることを示している。１２０３は、ＭＦＰ１０２にあるカセット１を示しており、１２０４は、カセット１に現在設定されている用紙の種類を示す項目である。
【００５５】
カセット１の用紙の種類を変更する場合は、１２０４の項目を選択すると、カセット１で設定できる用紙の種類がプルダウンで表示され、使用する用紙の種類を選択することでカセット１の設定が変更される。１２０５は、ＭＦＰ１０２にあるカセット２を示しており、１２０６は、カセット２に現在設定されている用紙の種類を示す項目である。カセット２の用紙の種類を変更する場合は、１２０６の項目を選択すると、カセット２で設定できる用紙の種類がプルダウンで表示され、使用する用紙の種類を選択することでカセット２の設定が変更される。
【００５６】
１２０７は、ＭＦＰ１０２にあるカセット３を示しており、１２０８は、カセット３に現在設定されている用紙の種類を示す項目である。カセット３の用紙の種類を変更する場合は、１２０８の項目を選択すると、カセット１で設定できる用紙の種類がプルダウンで表示され、使用する用紙の種類を選択することでカセット３の設定が変更される。１２０９は、１２０４、１２０６、１２０８の設定が完了した際、その設定をＭＦＰ１０２に反映させることを決定するための項目である。１２１０は、１２０４、１２０６、１２０８の設定が完了した際、その設定をＭＦＰ１０２に反映させることをやめるための項目である。
図１１、１２のように、ＰＤＬコントローラ１０１、ＭＦＰ１０２のそれぞれにおいて用紙の情報を保有しておく必要がある設定を行う際には、ＰＤＬコントローラ１０１とＭＦＰ１０２の操作画面を切り替えて、操作を行う必要がある。
【００５７】
図１３は、ＰＤＬコントローラ１０１の操作とＭＦＰ１０２の操作を関連付けた情報テーブルを示す図である。
図１３において、情報テーブル１３０１は、ＰＤＬコントローラ１０１の操作とＭＦＰ１０２の操作を関連付けたものである。１３０２は、操作している装置でどのような操作を行うかを示しており、１３０３は、１３０２で操作された設定に関連した操作が操作していない装置で必要である場合に、どのような操作画面を表示するのかを示している。
【００５８】
１３０２の操作と１３０３の表示する画面の関連付けは、一方向のものであり、双方向の関連付けではない。図１３の例では、ＰＤＬコントローラ１０１の用紙設定を行うと、ＭＦＰ１０２の用紙設定を行う操作画面を表示させる必要があるという関連付けを行っている。これらの情報をそれぞれの装置のＨＤＤ２０３、２１０に保存しておき、操作画面の切り替えを行う際にＰＤＬコントローラ１０１とＭＦＰ１０２の本体情報制御部７０２、７０６がＨＤＤ２０３、２１０から表示すべき画面の情報を呼び出す。なお、情報テーブルに登録されている関連付けられた動作は用紙設定に限定されず、各装置の操作画面で関連した操作が必要な動作が登録されている。
【００５９】
図１４は、用紙設定時における操作パネル１０８の画面切り替えの処理の流れを示すシーケンス図である。本シーケンス図におけるＰＤＬコントローラ１０１の動作は、ＣＰＵ２０１がＨＤＤ２０３に格納されているプログラムを実行し、起動制御部７０１、本体情報制御部７０２、画面表示制御部７０３、画像処理部７０４を制御することによって実現される。また、ＭＦＰ１０２の動作は、ＣＰＵ２０８がＨＤＤ２１０に格納されているプログラムを実行し、起動制御部７０５、本体情報制御部７０６、画面表示制御部７０７、印刷処理部７０８を制御することによって実現される。
【００６０】
まず、ＰＤＬコントローラ１０１は、電源がオンになると起動制御部７０１によって起動される。ＭＦＰ１０２も同様に、電源がオンになると起動制御部７０５によって起動される。ＰＤＬコントローラ１０１及びＭＦＰ１０２は、起動するとビデオ信号を操作パネル１０８に送信する。本実施例では、ＰＤＬコントローラ１０１を主として操作するために、ＰＤＬコントローラ１０１の操作画面を優先的に表示するようにしているので、起動直後に操作パネル１０８で表示されている操作画面は、ＰＤＬコントローラ１０１の操作画面となる。画面表示制御部７０３は、操作パネル１０８においてＰＤＬコントローラ１０１の操作画面が優先表示されているという情報（優先表示設定情報）を、ＰＤＬ制御インターフェース２０５及びＰＤＬ制御インターフェース２１４を介して、ＭＦＰ１０２に伝える。優先表示設定情報をＭＦＰ１０２の画面表示制御部７０７が受け取ると、ＭＦＰ１０２の画面表示制御部７０７がＭＦＰ１０２のディスプレイインターフェース２１１を介して操作パネル１０８の画面表示制御部７０９に送るビデオ信号を一時停止する（不図示）。
【００６１】
Ｓ１４０１において、操作パネル１０８に表示されているＰＤＬコントローラ１０１の操作画面１１０１で、印刷において使用する用紙の設定を変更する。その後Ｓ１４０２において、ＰＤＬコントローラ１０１の本体情報制御部７０２が、ＰＤＬコントローラ１０１で用紙設定を変更したという情報（操作情報）をＭＦＰ１０２に送信する。その情報は、ＰＤＬコントローラ１０１のＰＤＬ制御インターフェース２０５を介して、ＰＤＬコントローラ１０１からＭＦＰ１０２のＰＤＬ制御インターフェース２１４を通してＭＦＰ１０２の本体情報制御部７０６に送信される。
【００６２】
ＭＦＰ１０２が、ＰＤＬコントローラ１０１で用紙設定を変更したという情報を受信する。Ｓ１４０３において、本体情報制御部７０６は、ＨＤＤ２１０に保存されているＰＤＬコントローラ１０１の操作とＭＦＰ１０２の操作を関連付けた情報テーブル１３０１を読み込む。その後、Ｓ１４０４において、ＭＦＰ１０２の本体情報制御部７０６は、操作画面をＭＦＰ１０２で表示すべき画面に遷移させる。その後、ＭＦＰ１０２の本体情報制御部７０６がＭＦＰ１０２の画面遷移を終了したことを確認するとＳ１４０５に移行する。Ｓ１４０５で、ＭＦＰ１０２の画面表示制御部７０７が、ＭＦＰ１０２のディスプレイインターフェース２１１を介して、操作パネル１０８の画面表示制御部７０９にＭＦＰ１０２のビデオ信号を送信する（ビデオ信号制御）。
【００６３】
次にＳ１４０６において、ＭＦＰ１０２の本体情報制御部７０６が、ＭＦＰ１０２画面遷移が終了し、ＭＦＰ１０２のビデオ信号が復帰したことを、画面遷移完了情報（優先表示情報）としてＰＤＬコントローラ１０１に送信する。画面遷移完了情報は、ＭＦＰ１０２のＰＤＬ制御インターフェース２１４を介して、ＰＤＬコントローラ１０１のＰＤＬ制御インターフェース２０５を通してＰＤＬコントローラ１０１の画面表示制御部７０３に送信される。
【００６４】
その後Ｓ１４０７において、ＰＤＬコントローラ１０１の画面表示制御部７０３が、操作パネル１０８の画面表示制御部７０９に送信していたＰＤＬコントローラ１０１のビデオ信号を一時的に停止する（ビデオ信号制御）。これによって、操作パネル１０８の画面表示制御部７０９が受信しているビデオ信号がＭＦＰ１０２のビデオ信号のみとなるので、操作パネル１０８に表示されている画面はＭＦＰ１０２の操作画面となる。Ｓ１４０８で、画面表示制御部７０３が、ＰＤＬコントローラ１０１のビデオ信号の送信を一時停止したことを、ＰＤＬ制御インターフェース２０５及びＰＤＬ制御インターフェース２１４を介してＭＦＰ１０２の画面表示制御部７０７に伝える。
【００６５】
Ｓ１４０９においてＭＦＰ１０２の本体情報制御部７０６が、ＭＦＰ１０２での用紙設定の操作が終了したことを確認すると、Ｓ１４１０に移行する。Ｓ１４１０では、ＭＦＰ１０２の本体情報制御部７０６が、ＭＦＰ１０２の用紙設定をＭＦＰ１０２のＨＤＤ２１０に保存し、ＭＦＰ１０２での用紙設定の操作が終了したことを、操作終了情報（優先表示解除情報）としてＰＤＬコントローラ１０１に送信する。操作終了情報は、ＭＦＰ１０２のＰＤＬ制御インターフェース２１４及びＰＤＬコントローラ１０１のＰＤＬ制御インターフェース２０５を介して、ＰＤＬコントローラ１０１の画面表示制御部７０３に送信される。
【００６６】
操作終了情報をＰＤＬコントローラ１０１の画面表示制御部７０３が受信すると、Ｓ１４１１において画面表示制御部７０３は、操作パネル１０８の画面表示制御部７０９へのＰＤＬコントローラ１０１のビデオ信号の送信を再開する。これにより、操作パネル１０８の画面表示制御部７０９は、ＰＤＬコントローラ１０１のビデオ信号とＭＦＰ１０２のビデオ信号を受信していることとなる。本実施例では、ＰＤＬコントローラ１０１の操作画面を優先的に表示するようにしているので、操作パネル１０８で表示されている操作画面は、ＰＤＬコントローラ１０１の操作画面となる。
【００６７】
その後Ｓ１４１２で、画面表示制御部７０３が、ＰＤＬコントローラ１０１のビデオ信号の送信を再開したことを優先表示設定情報と共に、ＭＦＰ１０２の画面表示制御部７０７に伝える。
そしてＳ１４１３で、ＭＦＰ１０２の画面表示制御部７０７が、ＭＦＰ１０２のディスプレイインターフェース２１１を介して操作パネル１０８のディスプレイインターフェース２１７に送信していたＭＦＰ１０２のビデオ信号を停止させる。これによって、操作パネル１０８の画面表示制御部７０９は、現在受信しているＰＤＬコントローラ１０１のビデオ信号を表示させるので、ＰＤＬコントローラ１０１の画面が表示される。
【００６８】
次に図１５、図１６を参照して、図１４におけるＰＤＬコントローラ１０１とＭＦＰ１０２の個別の処理について説明する。
図１５は、用紙設定時のＰＤＬコントローラ１０１の処理の流れを示すフローチャートである。
本フローチャートは、ＨＤＤ２０３の格納されているプログラムに従って、起動制御部７０１、本体情報制御部７０２、画面表示制御部７０３、画像処理部７０４をＣＰＵ２０１が実行することによって実現される。
【００６９】
図１５において、まずＳ１５０１でＰＤＬコントローラ１０１の画像処理部７０４が、印刷データの用紙設定を変更する。次にＳ１５０２で、ＰＤＬコントローラ１０１の本体情報制御部７０２が、ＰＤＬコントローラ１０１のＰＤＬ制御インターフェース２０５を介して、ＭＦＰ１０２に、ＰＤＬコントローラ１０１での用紙設定を変更したという情報を送信する。
【００７０】
その後Ｓ１５０３で、ＭＦＰ１０２からＭＦＰ１０２の画面遷移が終了し、ＭＦＰ１０２のビデオ信号が復帰したという情報を、画面表示制御部７０３が受信した場合は、Ｓ１５０４に移行する。Ｓ１５０４において、ＰＤＬコントローラ１０１の画面表示制御部７０３が、操作パネル１０８の画面表示制御部７０９に送信していたＰＤＬコントローラ１０１のビデオ信号を一時的に停止する。
一方でＳ１５０３において、ＰＤＬコントローラ１０１の画面表示制御部が、ＭＦＰ１０２から画面遷移が終了し、ＭＦＰ１０２のビデオ信号が復帰したという情報を受信しなかった場合は、その情報を受信するまで待ち続ける。
【００７１】
その後Ｓ１５０５で、ＰＤＬコントローラ１０１の画面表示制御部７０３が、ＭＦＰ１０２での用紙設定の操作が終了したことをＭＦＰ１０２からＰＤＬコントローラ１０１のＰＤＬ制御インターフェース２０５を通して受信した場合は、Ｓ１５０６に移行する。Ｓ１５０６において、ＰＤＬコントローラ１０１の画面表示制御部７０３は、一時的に停止していた操作パネル１０８へのＰＤＬコントローラ１０１のビデオ信号の送信を再開する。
一方でＳ１５０５において、ＰＤＬコントローラ１０１の画面表示制御部７０３が、ＭＦＰ１０２の用紙設定の操作が終了したことを受信しない間は、ＰＤＬコントローラ１０１のビデオ信号は停止したままにする。
【００７２】
図１６は、用紙設定時のＭＦＰ１０２の処理の流れを示すフローチャートである。本フローチャートは、ＭＦＰ１０２のＨＤＤ２１０の格納されているプログラムに従ってＭＦＰ１０２の起動制御部７０５、本体情報制御部７０６、画面表示制御部７０７、印刷処理部７０８をＣＰＵ２０８が実行することによって実現される。
図１６において、まずＳ１６０１で、ＭＦＰ１０２の本体情報制御部７０６が、ＰＤＬコントローラ１０１から、ＰＤＬコントローラ１０１において用紙設定が変更されたという情報を、ＭＦＰ１０２のＰＤＬ制御インターフェース２１４を介して受信する。その後Ｓ１６０２において、ＭＦＰ１０２の本体情報制御部７０６が、ＭＦＰ１０２のＨＤＤ２１０に保存されているＰＤＬコントローラ１０１の操作とＭＦＰ１０２の操作を関連付けた情報テーブル１３０１を読み込む。
【００７３】
Ｓ１６０３において、読み込んだ情報を基にして、ＭＦＰ１０２の画面を遷移する必要があるかどうかを判断する。
ＭＦＰ１０２の本体情報制御部７０６が、画面を遷移させる必要があると判断した場合、Ｓ１６０４に移行する。Ｓ１６０４において、ＭＦＰ１０２の本体情報制御部７０６が、ＭＦＰ１０２のＨＤＤ２１０に保存されているＰＤＬコントローラ１０１の操作とＭＦＰ１０２の操作を関連付けた情報テーブル１３０１を基にして、ＭＦＰ１０２の操作画面の遷移を行う。ＭＦＰ１０２の本体情報制御部７０６が、ＭＦＰ１０２の操作画面の遷移を終了したことを確認すると、Ｓ１６０５に移行する。
一方、Ｓ１６０３でＭＦＰ１０２の本体情報制御部７０６が、ＭＦＰ１０２の操作画面を遷移させる必要がないと判断した場合、現在の操作画面を表示させるために、画面は遷移させずＳ１６０５に移行する。
【００７４】
Ｓ１６０５において、ＭＦＰ１０２の画面表示制御部７０７が、ＭＦＰ１０２の画面を表示させるためのビデオ信号を、ＭＦＰ１０２のディスプレイインターフェース２１１を介して、操作パネル１０８の画面表示制御部７０９に送信する。
次に、Ｓ１６０６において、ＭＦＰ１０２の本体情報制御部７０６が、画面遷移完了通知を、ＰＤＬ制御インターフェース２１４及びＰＤＬ制御インターフェース２０５を介してＰＤＬコントローラ１０１の画面表示制御部７０３に送信する。
【００７５】
次にＳ１６０７において、ＭＦＰ１０２の本体情報制御部７０６が、ＭＦＰ１０２の用紙設定の変更が終了したことを確認できた場合、Ｓ１６０８に移行する。一方で、Ｓ１６０７において、ＭＦＰ１０２の本体情報制御部７０６がＭＦＰ１０２の用紙設定の変更が終了したことを確認できなかった場合、用紙設定の変更が終了したことをＭＦＰ１０２の本体情報制御部７０６が確認できるまで待ち続ける。
【００７６】
Ｓ１６０８において、ＭＦＰ１０２の用紙設定の変更が終了したことを、操作終了通知として、ＭＦＰ１０２のＰＤＬ制御インターフェース２１４を介して、ＰＤＬコントローラ１０１に送信する。その後、ＭＦＰ１０２の画面表示制御部７０７は、ＰＤＬコントローラ１０１からＭＦＰ１０２のＰＤＬ制御インターフェース２１４を介してＭＦＰ１０２の画面表示制御部７０７に対して、ＰＤＬコントローラ１０１のビデオ信号が再開されたことを受信する。そしてＳ１６０９で、ＭＦＰ１０２の画面表示制御部７０７が、ＭＦＰ１０２のディスプレイインターフェース２１１を介して操作パネル１０８の画面表示制御部７０９に送信していたＭＦＰ１０２のビデオ信号を停止させる。
【００７７】
実施例２では、用紙設定がされた場合自動で表示している操作画面が切り替わるように構成したが、表示されている操作画面での操作を優先したい場合、強制的に画面の切り替えを行わずにユーザによる確認を経て操作画面を切り替えるように構成してもよい。この場合、操作画面切替選択画面を表示し、画面を切り替えるか否かユーザに選択させ、画面切替が選択された場合は画面を切り替えるためにビデオ信号の送信もしくは一時停止を行い、画面切替が選択されなかった場合は、ビデオ信号の送信状況を変化させない。
また、ＭＦＰ１０２が優先表示設定されている場合に、実施例２で説明した方法においてそれぞれの装置の立場を逆にして画面の切り替えを行うことで、ＭＦＰ１０２で用紙設定がされた場合にＰＤＬコントローラ１０１でも用紙設定をすることができる。
【００７８】
実施例２によれば、２つの装置を交互に切り替えながら操作する必要がある場合も、自動で画面に表示される装置を切り替え、操作することができる。これにより、ユーザの利便性を向上することができる。
【００７９】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００８０】
以上、本発明の好ましい実施形態について説明したが、本発明は、これらの実施形態に限定されず、その要旨の範囲内で種々の変形および変更が可能である。
【符号の説明】
【００８１】
１０１  ＰＤＬコントロ−ラ
１０２  ＭＦＰ
１０８  操作パネル
【図１】
2016208140.tif 000003
【図２】
2016208140.tif 000004
【図３】
2016208140.tif 000005
【図４】
2016208140.tif 000006
【図５】
2016208140.tif 000007
【図６】
2016208140.tif 000008
【図７】
2016208140.tif 000009
【図８】
2016208140.tif 000010
【図９】
2016208140.tif 000011
【図１０】
2016208140.tif 000012
【図１１】
2016208140.tif 000013
【図１２】
2016208140.tif 000014
【図１３】
2016208140.tif 000015
【図１４】
2016208140.tif 000016
【図１５】
2016208140.tif 000017
【図１６】
2016208140.tif 000018